(57)【要約】【課題】中空構造物を電着塗装液に侵漬させる場合であっても、ホルダプレートに電着塗装液が残留するのを防止できる中空構造物の中空室遮断具を提供する。【解決手段】中空室遮断具１は、外部加熱により発泡して発泡体となる発泡性基材３と、その発泡性基材３を中空構造物の中空室内に取り付けるためのホルダ体２とを備えている。ホルダ体２は、発泡性基材３をその片面側において保持し、発泡性基材３が発泡するときにはその発泡体の発泡方向を規制するホルダプレート４を備えている。ホルダプレート４には、電着塗装液の液槽からの引き上げ時にその上面に残留する電着塗装液を排出するための液抜孔７ａ，７ｂが設けられる。また、ホルダプレート４には、発泡性基材３が発泡膨張して発泡体となったときに、その発泡体が通過して液抜孔７ａ，７ｂを塞ぐことができる位置に通過孔１１ａ，１１ｂが設けられる。【選択図】　　　図１
2004004445.tif 000002
【特許請求の範囲】
【請求項１】
中空構造物の中空室に取り付けられるホルダ体と、そのホルダ体に保持されかつ外部加熱により発泡して発泡体となることで前記中空室を遮断する発泡性基材と、を備えた中空構造物における中空室遮断具であって、
前記ホルダ体は、前記中空室の長手方向に略直交に配置されるホルダプレートを有し、そのホルダプレートの表裏両側のうち少なくとも一方の側に前記発泡性基材が配設されており、
前記ホルダプレートには、前記中空構造物の電着塗装時に該ホルダプレート上に残留する電着塗装液を下方に排出するための液抜孔が設けられており、前記発泡性基材が外部加熱により発泡して発泡体になると、その発泡体により前記液抜孔が塞がれる構成にしてある中空構造物の中空室遮断具。
【請求項２】
中空構造物の中空室に取り付けられるホルダ体と、そのホルダ体に保持されかつ外部加熱により発泡して発泡体となることで前記中空室を遮断する発泡性基材と、を備えた中空構造物における中空室遮断具であって、
前記ホルダ体は、前記中空室の長手方向に略直交に配置されるホルダプレートを有し、そのホルダプレートの表裏両側のうち少なくとも一方の側に前記発泡性基材が配設されており、
前記ホルダプレートには、前記中空構造物の電着塗装時に該ホルダプレート上に残留する電着塗装液を下方に流下させるための流下面が傾斜状に形成されていることを特徴とする中空構造物の中空室遮断具。
【請求項３】
中空構造物の中空室に取り付けられるホルダ体と、そのホルダ体に保持されかつ外部加熱により発泡して発泡体となることで前記中空室を遮断する発泡性基材と、を備えた中空構造物における中空室遮断具であって、
前記ホルダ体は、前記中空室の長手方向に略直交に配置されるホルダプレートを有し、そのホルダプレートの表裏両側のうち少なくとも一方の側に前記発泡性基材が配設されており、
前記ホルダプレートには、前記中空構造物の電着塗装時に該ホルダプレート上に残留する電着塗装液を下方に排出するための液抜孔が設けられており、前記発泡性基材が外部加熱により発泡して発泡体になると、その発泡体により前記液抜孔が塞がれる構成とされており、
さらに、前記ホルダプレートには、前記中空構造物の電着塗装時に該ホルダプレート上に残留する電着塗装液を下方に流下させるための流下面が傾斜状に形成されていることを特徴とする中空構造物の中空室遮断具。
【請求項４】
中空構造物の中空室に取り付けられるホルダ体と、そのホルダ体に保持されかつ外部加熱により発泡して発泡体となることで前記中空室を遮断する発泡性基材と、を備えた中空構造物における中空室遮断具であって、
前記ホルダ体は、前記中空室の長手方向に略直交に配置されるホルダプレートを有し、そのホルダプレートの表裏両側のうち少なくとも一方の側に前記発泡性基材が配設されており、
前記ホルダプレートには、前記中空構造物の電着塗装時に該ホルダプレート上に残留する電着塗装液を下方に排出するための液抜孔が設けられており、
前記液抜孔には、外部加熱により発泡して発泡体となることで該液抜孔を塞ぐことのできる閉塞手段が取り付けられていることを特徴とする中空構造物の中空室遮断具。
【請求項５】
請求項１から請求項４のうちいずれか１項に記載の中空構造物の中空室遮断具であって、
ホルダプレートには、発泡体の一部が液抜孔に向かうようにその発泡方向を規制する発泡方向規制壁が設けられていることを特徴とする中空構造物の中空室遮断具。
【請求項６】
請求項１に記載の中空構造物の中空室遮断具であって、
発泡性基材は、ホルダプレートに設けられた液抜孔を覆う状態で該ホルダプレートの表裏両側のうち少なくとも一方の側に配設されており、前記発泡性基材のホルダプレートに接する側の面には、前記ホルダプレート上に残留する電着塗装液を前記液抜孔へ向けて通過させることのできる液通過流路が設けられていることを特徴とする中空構造物の中空室遮断具。
【発明の詳細な説明】
【０００１】
【発明の属する技術分野】
この発明は、中空構造物の中空室遮断具に関し、主として複数枚のパネルによって中空の箱形閉じ断面に構成された車両ボディの中空パネル（例えば、ピラー、ロッカーパネル、ルーフサイドパネル等）のような中空構造物の制振、防音等を高めるために、その中空室を遮断する中空室遮断具に関する。
【０００２】
【従来の技術】
この種の中空構造物における中空室遮断具として、例えば、［特許文献１］に開示された中空室遮断具が知られている。
これにおいては、図１８に示すように、中空構造物の中空室に取り付けられるホルダ体１２０と、そのホルダ体１２０に保持されかつ外部加熱によって発泡して発泡体となることで中空室を遮断する発泡性基材１１１とを備えて中空室遮断具１１０が構成されている。
また、ホルダ体１２０は、中空室の長手方向にそれぞれ直交する一対のホルダプレート１３０，１６０を有し、一方のホルダプレート１３０の一側面には、そのホルダプレート１３０の周縁部近傍に沿って略環状をなす環状保持壁１４１が突設されている。また、一対のホルダプレート１３０，１６０の一側周縁部はヒンジ部１２１によって開閉可能に連結され、これら一対のホルダプレート１３０，１６０の他側には、閉止爪１５３と閉止孔１６１とが係合可能に設けられている。そして、一対のホルダプレート１３０，１６０が閉じられて、閉止爪１５３と閉止孔１６１とが係合されると、略環状の発泡性基材１１１が一対のホルダプレート１３０，１６０によって挟持された状態となって中空室遮断具１１０が構成される。
【０００３】
上記従来の中空室遮断具１１０が中空構造物の中空室内に配設されると、図１９（Ａ）の縦断面図に示すように、略環状の発泡性基材１１１が中空構造物１７０の内壁近傍に沿ってホルダ体１２０によって保持される。そして、中空構造物１７０を電着塗装液に侵漬させてその表裏両面に電着塗装を施した後、焼付乾燥工程の際の外部加熱によって発泡性基材１１１を発泡膨張させて発泡体１１２とする。これにより、図１９（Ｂ）の縦断面図に示すように、ホルダ体１２０の周縁部の隙間が発泡体１１２によって遮断され、中空構造物１７０の制振や防音等の効果が高められている。
【０００４】
【特許文献１】
特開平１０−９１１７０号公報
【０００５】
【発明が解決しようとする課題】
ところで、上記従来の中空室遮断具１１０は、図１９（Ａ）に示すように、ホルダ体１２０を構成する一対のホルダプレート１３０，１６０のうち一方のホルダプレート１３０が上面側に配置され、他方のホルダプレート１６０が下面側に配置される場合がある。この状態において、中空構造物１７０を電着塗装液に侵漬させてから上方に引き上げると、図１９（Ａ）に示すように、電着塗装液が図中の矢印Ｘに示す方向に流下し、ホルダプレート１６０の上面における環状保持壁１４１によって囲まれた領域１７１に電着塗装液１１３が残留してしまう場合がある。この場合、電着塗装後の焼付乾燥工程によっても残留した電着塗装液１１３を除去しきれない場合があり、完成した製品である中空構造物１７０の継ぎ目等からその電着塗装液１１３が染み出してしまうことがある。このことは、製品となる中空構造物１７０の外観を著しく損なうことになるので問題であった。
【０００６】
本発明はこのような問題に鑑みて創案されたものであり、中空構造物を電着塗装液に侵漬させる場合であっても、ホルダプレートに電着塗装液が残留するのを防止できる中空構造物の中空室遮断具を提供することを課題とする。
【０００７】
【課題を解決するための手段】
前記課題を解決するために、本発明は特許請求の範囲の各請求項に記載した通りの構成を要旨としている。
請求項１に記載の中空構造物の中空室遮断具によれば、少なくとも一方の側において発泡性基材を保持するホルダプレートには、電着塗装時にそのホルダプレートの上面に残留した電着塗装液を下方に排出するための液抜孔が設けられる。そして、その液抜孔は、前記発泡性基材が外部加熱により発泡して発泡体となることにより塞がれる。すると、ホルダプレート上に残留した電着塗装液を液抜孔によって排出できるだけでなく、発泡性基材の発泡後は、その液抜孔を発泡体によって塞ぐことにより、中空構造物の中空室を隙間なく遮断することができる。これにより、中空構造物の継ぎ目等からの電着塗装液の染み出しを防止でき、かつ、中空構造物の制振や防音等の効果を高める効果を維持することができる。
【０００８】
請求項２に記載の中空構造物の中空室遮断具によれば、少なくとも一方の側において発泡性基材を保持するホルダプレートには、電着塗装時にそのホルダプレートの上面に残留した電着塗装液を下方に流下させる流下面が傾斜状に設けられる。すると、ホルダプレートの上面に残留した電着塗装液は、傾斜状の流下面に沿って排出されるので、ホルダプレートにおける電着塗装液の残留を効果的に防止することができる。
【０００９】
請求項３に記載の中空構造物の中空室遮断具によれば、少なくとも一方の側において発泡性基材を保持するホルダプレートには、電着塗装時にホルダプレートの上面に残留した電着塗装液を下方に排出するための液抜孔が設けられる。そして、その液抜孔は、前記発泡性基材が外部加熱により発泡して発泡体となることにより塞がれる。さらに、ホルダプレートには、電着塗装時にそのホルダプレートの上面に残留した電着塗装液を下方に流下させる流下面が傾斜状に設けられる。
これにより、ホルダプレート上に残留した電着塗装液は液抜孔から排出されるだけでなく、発泡性基材の発泡後は、その液抜孔を発泡体によって塞ぐことができるので、中空構造物の中空室を隙間なく遮断できる。さらに、ホルダプレートの上面に残留した電着塗装液は、傾斜状の流下面に沿って排出されるので、ホルダプレートにおける電着塗装液の残留をより一層効果的に防止することができる。
【００１０】
請求項４に記載の中空構造物の中空室遮断具によれば、少なくとも一方の側において発泡性基材を保持するホルダプレートには、電着塗装時にホルダプレートの上面に残留した電着塗装液を下方に排出するための液抜孔が設けられる。そして、前記液抜孔には、外部加熱により発泡して発泡体となることでその液抜孔を塞ぐことのできる閉塞手段が取り付けられる。すると、ホルダプレート上に残留した電着塗装液を液抜孔によって排出できるだけでなく、閉塞手段が外部加熱により発泡した後は、その液抜孔が発泡体によって塞がれることになり、中空構造物の中空室を隙間なく遮断することができる。これにより、中空構造物の継ぎ目等からの電着塗装液の染み出しを防止でき、かつ、中空構造物の制振や防音等の効果を高める効果を維持することができる。
【００１１】
請求項５に記載の中空構造物の中空室遮断具によれば、ホルダプレートには、発泡体の一部が液抜孔に向かうようにその発泡方向を規制する発泡方向規制壁が設けられる。したがって、より多くの発泡体を液抜孔に向けて進行させることができるので、液抜孔が発泡体によってより確実に塞がれる。
【００１２】
請求項６に記載の中空構造物の中空室遮断具によれば、発泡性基材は、ホルダプレートに設けられた液抜孔を覆う状態で該ホルダプレートの表裏両側のうち少なくとも一方の側に配設されており、前記発泡性基材のホルダプレートに接する側の面には、前記ホルダプレート上に残留する電着塗装液を前記液抜孔へ向けて通過させることのできる液通過流路が設けられる。したがって、ホルダプレート上に残留した電着塗装液が前記液通過流路を経由してより確実に排出されるだけでなく、液抜孔を覆うようにして配設された発泡性基材が外部加熱により発泡膨張することで、その液抜孔が発泡体によってより確実に塞がれる。
【００１３】
【発明の実施の形態】
以下、本発明の第１〜第６の実施の形態を説明する。
〔第１の実施の形態〕
以下、図１〜図３に基づいて、本発明の第１の実施の形態における中空構造物の中空室遮断具について説明する。本実施の形態における中空室遮断具は、車両ボディを構成するセンターピラー、ロッカーパネル、ルーフサイドパネル等の中空構造物の中空室を発泡体で遮断し、その中空構造物の制振、防音等の効果を高めるための装置である。ここで、図１は、第１の実施の形態における、中空室遮断具１の組み立て前の構造を示す斜視図である。また、図２は、中空室遮断具１の組み立て後の状態を示す斜視図である。また、図３は、中空室内に配置した中空室遮断具１の断面図であり、図２における中空室遮断具１のＡ−Ａ線に対応する断面図である。
【００１４】
図１及び図２に示すように、中空室遮断具１は、外部加熱により発泡して発泡体となる発泡性材料からなる発泡性基材３と、その発泡性基材３を中空構造物の中空室内に取り付けるためのホルダ体２とを備えている。ホルダ体２は、発泡性基材３をその片面側において保持し、発泡性基材３が発泡するときにはその発泡体の発泡方向を規制するホルダプレート４と、そのホルダプレート４を中空構造物の取付孔（図示しない）に取り付けるための係合クリップ５とを備えて構成されている。
【００１５】
図１に示すように、ホルダプレート４は、耐熱性合成樹脂（熱可塑性合成樹脂）の射出成形により略四角形状に形成された板状部材である。ホルダプレート４の略中央部付近は、発泡性基材３が装着される側に向けて凸となるように段差状に形成されており、その段差状に突出した部分である嵌込部６の外周側壁部６ａに沿って略環状に形成された発泡性基材３が嵌め込まれるように構成されている。この嵌込部６の外周側壁部６ａに沿って発泡性基材３が嵌め込まれることにより、図２に示すように、発泡性基材３がホルダプレート４の一側面側に保持された中空室遮断具１が構成される。
【００１６】
発泡性基材３は、前述したように、発泡性を有する発泡性材料が外周側壁部６ａに対応した略長方形の環状部材として形成されたものである。ここで用いている発泡性材料は、加熱により発泡膨張して発泡体となり、中空室を遮断、充填することで補強、防音、制振等の効果を高める材料が用いられる。さらに好ましくは、例えば、金属接着性を有する合成樹脂、発泡剤、ガラス繊維のような繊維状物質、等が混合され、１１０℃〜１９０℃前後の温度で発泡し、高剛性の発泡体となる発泡性材料が用いられる。このような接着性を有し、かつ、高剛性の発泡体となる発泡性材料は、例えば、特開平８−２０８８７１号公報、特開平１１−１５８３１３号公報等に開示されている。
【００１７】
また、図１に示すように、係合クリップ５は、略長方形の板状に形成された台座部８と、その台座部８の下面から突出して設けられた脚部９と、その脚部９の先端部両側から折り返し状に延出して設けられた弾性係止片１０によって構成されている。係合クリップ５は、熱可塑性合成樹脂の射出成形により一体状に形成されており、その脚部９が中空構造物の壁面に設けられた取付孔に挿入されて弾性的に係合することにより、ホルダプレート４を中空構造物の中空室内に取り付ける役割を果たす。
【００１８】
また、図２に示すように、中空構造物２０は、車両ボディのインナパネル２１とアウタパネル２２とが互いのフランジ部においてスポット溶接されて筒状に構成されたものであり、その内部には断面略台形状の中空室２３が構成されている。中空室遮断具１は、中空構造物２０の中空室２３内に例えば手で挿入されるか、あるいは、あらかじめインナパネル２１とアウタパネル２２とがスポット溶接により接合される前に、いずれか一方のパネルの内面に係合クリップ５によって取り付けられる。そして、図３に示すように、中空室遮断具１は、中空構造物２０の長手方向に対してほぼ直交に配置して中空室２３内に取り付けられる。なお、ここでいう「ほぼ直交」とは、発泡性基材３の発泡により中空室２３を遮断できるような配置のことを意味するものであり、正確に９０°の配置などと限定する意味で用いている用語ではない。
【００１９】
次に、上述のようにして中空室遮断具１が取り付けられた中空構造物２０に電着塗装を施す際の態様について説明する。
中空構造物２０が車両ボディを構成するパネルである場合、そのパネルを組み立てた後に防錆等を目的とした電着塗装が行なわれる。この電着塗装を行なう場合には、図３（Ａ）に示すように、嵌込部６が上側に向けて凸となるように中空室遮断具１が中空構造物２０の中空室２３内に配設された後、その中空構造物２０を電着塗装液（ＥＤ液（Ｅｌｅｃｔｒｏ−Ｄｅｐｏｓｉｔｉｏｎ液）と呼ぶこともある）の液槽内に所定時間侵漬させる。これにより、インナパネル２１及びアウタパネル２２の表裏両面に対して均一な電着塗膜を形成させることができる。そして、その電着塗装後の中空構造物２０を引き上げて、次の焼付乾燥工程等に運搬することになる。
【００２０】
図３（Ａ）に示すように、中空構造物２０をＥＤ液の液槽内から引き上げる際には、中空室２３内に満たされていたＥＤ液の排出の流れが、ホルダプレート４によって妨害される。すると、ホルダプレート４の上面には排出しきれなかったＥＤ液が残留し、この残留したＥＤ液がインナパネル２１とアウタパネル２２の隙間から染み出す等の不具合が生ずるおそれがある。
しかし、本実施の形態における中空室遮断具１によれば、嵌込部６の上面部６ｂに２つの液抜孔７ａ，７ｂが設けられる。そして、ホルダプレート４上に残留したＥＤ液は、この２つの液抜孔７ａ，７ｂから下方に向けて速やかに排出される。これにより、電着塗装後におけるホルダプレート４上のＥＤ液の残留が効果的に防止されている。
【００２１】
次に、ホルダプレート４によって保持された発泡性基材３が加熱により発泡膨張して発泡体２５となり、中空構造物２０の中空室２３内を遮断する態様について図３を参照しながら説明する。
上述のように、中空構造物２０に電着塗装が施されると、その電着塗装後の中空構造物２０は焼付乾燥工程に運搬される。そして、その焼付乾燥工程の際の外部加熱によって、発泡性基材３が発泡膨張して発泡体２５となる。図３（Ａ）に示すように、発泡性基材３は、インナパネル２１及びアウタパネル２２の内壁の近傍に配設されており、発泡性基材３が発泡膨張して発泡体２５になると、発泡体２５はそれら両パネルの内壁に向けて密着状に広がるので、中空室２３をほぼ隙間なく遮断することができる。
また、ホルダプレート４は、インナパネル２１及びアウタパネル２２の内壁に沿って外周側壁部６ａを有することにより、発泡体２５の発泡方向（進行方向）を外側へ向けて規制する発泡方向規制部材としての役割をも果たしている。発泡体２５の発泡方向が外側へ規制されると、発泡体２５をインナパネル２１及びアウタパネル２２の内壁に向けてより効率的に広げることができる。
【００２２】
ところで、前述したように、嵌込部６の上面部６ｂには２つの液抜孔７ａ，７ｂが貫設されているので、発泡性基材３を発泡膨張させたとしても、中空室２３の遮断が完全には行なわれないとも考えられる。
しかしながら、本実施の形態における中空室遮断具１では、図１及び図３に示すように、嵌込部６の外周側壁部６ａに２つの通過孔１１ａ，１１ｂが貫設されている。この２つの通過孔１１ａ，１１ｂは、２つの液抜孔７ａ，７ｂにそれぞれ近接する位置、すなわち、発泡性基材３が加熱により発泡膨張して発泡体２５になると、この発泡体２５が２つの通過孔１１ａ，１１ｂを通過して２つの液抜孔７ａ，７ｂを塞ぐことのできる位置に対して設けられる。
これにより、ホルダプレート４の上面に残留したＥＤ液を２つの液抜孔７ａ，７ｂによって速やかに排出できるだけでなく、発泡性基材３を加熱により発泡膨張させて発泡体２５とした後は、それらの液抜孔７ａ，７ｂを発泡体２５により塞ぐことによって中空室２３を隙間なく遮断できる。このように、中空室２３が隙間なく遮断されると、中空構造物２０の制振や防音等が一層効果的に高められる。
【００２３】
〔第２の実施の形態〕
以下、図４に基づいて、本発明の第２の実施の形態における中空構造物の中空室遮断具３０について説明する。なお、第２の実施の形態は、ホルダプレートに流下面を傾斜状に形成した第１の実施の形態の応用例である。したがって、以下では、第１の実施の形態における中空室遮断具１と同様な部分についての説明を省略する場合がある。
【００２４】
図４は、中空構造物２０の中空室２３内に配置した本実施の形態における中空室遮断具３０の断面図である。
図４（Ａ）に示すように、本実施の形態における中空室遮断具３０では、ホルダプレート３４に形成された嵌込部３６の上面が上側に向けて凸となるように湾曲状に形成されている。この、湾曲状に形成された嵌込部３６の上面が、本発明における傾斜状の「流下面」に対応している。
【００２５】
中空構造物２０に電着塗装を施すために、中空構造物２０をＥＤ液の液槽内に侵漬させると、中空室２３内はＥＤ液によって満たされることになる。そして、インナパネル２１及びアウタパネル２２の表裏両面に電着塗膜が形成された後、中空構造物２０をＥＤ液の液槽内から引き上げると、図４（Ａ）に示すように、ホルダプレート３４よりも上方に満たされていたＥＤ液は、湾曲状に形成された嵌込部３６の上面を伝って下方に流下することになる。これにより、嵌込部３６の上面を平らに構成するよりも、ＥＤ液は下方に向けて排出されやすくなる。
【００２６】
さらに、本実施の形態における中空室遮断具３０では、第１の実施の形態と同様に、ホルダプレート３４に対して２つの液抜孔３７ａ，３７ｂが貫設される。これにより、ホルダプレート３４の上面に残留したＥＤ液は、湾曲状に形成された嵌込部３６の上面である「流下面」を伝って下方に流れやすくなるとともに、２つの液抜孔３７ａ，３７ｂによって下方に排出されることになるので、ＥＤ液の残留をより効果的に防止することができる。
【００２７】
そして、図４（Ｂ）に示すように、発泡性基材３３は焼付乾燥工程の際の加熱によって発泡膨張して発泡体３５となり、第１の実施の形態と同様に、中空室２３を密着状に充填することで中空構造物２０の制振や防音等を効果的に高める。このとき、２つの液抜孔３７ａ，３７ｂも、通過孔３８ａ，３８ｂを通過した発泡体３５によって塞がれる。
【００２８】
なお、第２の実施の形態では、ＥＤ液を下方に流下させるための「流下面」が、上向きに凸である湾曲状に形成される例を示したが、本発明における「流下面」はこのような態様に限定されるものではない。
例えば、嵌込部３６の上面を下向きに凸の湾曲状に形成することにより、ＥＤ液を流下させるための「流下面」を構成することができる。この場合には、ＥＤ液を下方に排出するための液抜孔を流下面の底部付近に設けることにより、ホルダプレート３４上に残留したＥＤ液を速やかに下方に排出することができる。
また、例えば、ホルダプレートの全部もしくは一部を、所定の傾斜角を有する屋根状に形成し、ＥＤ液を流下させるための「流下面」を下向き直線状の傾斜面として構成することもできる。
つまり、本発明における「傾斜状」の流下面とは、ＥＤ液の液槽からの引き上げ時等に、ホルダプレートの上面に残留したＥＤ液を下方に流下させることのできるものであれば、どのような形状や傾斜角に形成されたものであってもよい。
【００２９】
〔第３の実施の形態〕
以下、図５に基づいて、本発明の第３の実施の形態における中空構造物の中空室遮断具４０について説明する。なお、第３の実施の形態は、ホルダ体を一対のホルダプレートにより構成した第１の実施の形態の応用例である。したがって、以下では、第１の実施の形態における中空室遮断具１と同様な部分についての説明を省略する場合がある。
【００３０】
図５は、中空構造物２０の中空室２３内に配置した本実施の形態における中空室遮断具４０の断面図である。
図５（Ａ）に示すように、本実施の形態における中空室遮断具４０では、中空室２３内に発泡性基材４３を取り付けるためのホルダ体４２が、発泡性基材４３を表裏両面から挟持する一対のホルダプレート４４ａ，４４ｂにより構成される。すなわち、図５（Ａ）に示すように、下側に配置されるホルダプレート４４ｂの上面には、略環状に形成された発泡性基材４３を嵌め込むための環状保持壁４６が形成されており、この環状保持壁４６の外周に沿って発泡性基材４３を嵌め込んだ後、上面側に配置されるホルダプレート４４ａを被せることにより中空室遮断具４０が構成される。なお、一対のホルダプレート４４ａ，４４ｂの間に発泡性基材４３を挟んだ状態で組み付けを行なうためには、一対のホルダプレート４４ａ，４４ｂを例えば係合クリップ等により互いに結合すればよい。
【００３１】
中空構造物２０に電着塗装を施すために、中空構造物２０をＥＤ液の液槽内に侵漬させると、中空室２３内はＥＤ液によって満たされることになる。そして、インナパネル２１及びアウタパネル２２の表裏両面に電着塗膜が形成された後、中空構造物２０をＥＤ液の液槽内から引き上げると、図５（Ａ）に示すように、ホルダ体４２よりも上方に満たされていたＥＤ液は、中空構造物２０の内壁面と中空室遮断具４０の外周縁との隙間等から下方に排出されることになる。
ここで、中空構造物２０の電着塗装時において、ＥＤ液は一対のホルダプレート４４ａ，４４ｂの間にも浸透しており、ホルダプレート４４ｂの上面に設けられた環状保持壁４６によって囲まれた領域４９には、浸透したＥＤ液が排出されずに残留するおそれがある。
しかしながら、本実施の形態における中空室遮断具４０では、下面側に配置されるホルダプレート４４ｂに対して２つの液抜孔４７ａ，４７ｂが貫設される。これにより、ホルダプレート４４ｂの上面に残留したＥＤ液は、２つの液抜孔４７ａ，４７ｂを介して速やかに下方に排出されることになる。
【００３２】
次に、一対のホルダプレート４４ａ，４４ｂによって保持された発泡性基材４３が外部加熱により発泡膨張して発泡体４５となり、中空構造物２０の中空室２３内を遮断する態様について図５（Ｂ）を参照しながら説明する。
【００３３】
中空構造物２０に電着塗装が施されると、その電着塗装後の中空構造物２０は焼付乾燥工程に運搬される。そして、その焼付乾燥工程の際の外部加熱によって、発泡性基材４３が発泡膨張して発泡体４５となる。このとき、発泡体４５の発泡方向は一対のホルダプレート４４ａ，４４ｂによって規制されるため、図５（Ｂ）に示すように、発泡体４５はインナパネル２１及びアウタパネル２２の内壁面に向けて重点的に広がることになる。これにより、発泡性基材４３の発泡により生じた発泡体４５が中空構造物２０の内周壁面に確実かつ良好に密着し、その中空室２３が発泡体４５によって効率的に遮断される。
【００３４】
なお、第３の実施の形態においても、ホルダプレート４４ａの上面を上側に向けて凸となるように湾曲状あるいは直線傾斜状に形成すれば、ホルダプレート４４ａ上におけるＥＤ液の残留を一層効果的に防止することができる。
【００３５】
〔第４の実施の形態〕
以下、図６〜図８に基づいて、本発明の第４の実施の形態における中空構造物の中空室遮断具５０について説明する。ここで、図６は、第４の実施の形態における、中空室遮断具５０の組み立て前の構造を示す斜視図である。また、図７は、中空室遮断具５０の組み立て後の状態を示す斜視図である。また、図８は、中空室内に配置した中空室遮断具５０の断面図であり、図７における中空室遮断具５０のＢ−Ｂ線に対応する断面図である。なお、第４の実施の形態は、液抜孔に閉塞具を取り付けた第１の実施の形態の応用例である。したがって、以下では、第１の実施の形態における中空室遮断具１と同様な部分についての説明を省略する場合がある。
【００３６】
図６及び図７に示すように、中空室遮断具５０は、外部加熱により発泡膨張して発泡体となる発泡性材料からなる発泡性基材５３と、その発泡性基材５３を中空構造物の中空室内に取り付けるためのホルダ体５２とを備えている。ホルダ体５２は、発泡性基材５３をその片面側において保持し、発泡性基材５３が発泡するときにはその発泡体の発泡方向を規制するホルダプレート５４と、そのホルダプレート５４を中空構造物の取付孔（図示しない）に取り付けるための係合クリップ５５とを備えて構成されている。
【００３７】
図６に示すように、ホルダプレート５４は、耐熱性合成樹脂（熱可塑性合成樹脂）の射出成形により略四角形状に形成された板状部材である。ホルダプレート５４の表裏両側のうち一方の側の面には、その周縁部近傍に沿って略環状をなす環状保持壁５６が突設されている。この環状保持壁５６の外周に沿って略環状に形成された発泡性基材５３が嵌め込まれると、図７に示すように、発泡性基材５３がホルダプレート５４の一側面側に保持された中空室遮断具５０が構成される。
【００３８】
また、図６に示すように、ホルダプレート５４の略中央部には液抜孔５７が貫設されており、この液抜孔５７には閉塞具６０が取り付けられる。
閉塞具６０は、外部加熱により発泡する発泡性材料により略円筒状に形成された部材であり、液抜孔５７へ挿入されることによりその孔縁に係合する係合クリップ部６１を一体状に備えて構成されている。係合クリップ部６１を液抜孔５７に挿入すると、図７及び図８に示すように、係合クリップ部６１が液抜孔５７の孔縁に弾性的に係合し、液抜孔５７の周囲に段差状に形成された取付用凹部６２に嵌め入れられた状態となって閉塞具６０が取り付けられるようになっている。なお、本実施の形態における閉塞具６０が、本発明における「閉塞手段」に対応している。
【００３９】
中空構造物２０の電着塗装時において、電着塗装後の中空構造物２０をＥＤ液の液槽内から引き上げる際には、図８（Ａ）に示すように、中空室２３内に満たされていたＥＤ液の排出の流れが、ホルダプレート５４によって妨害される。すると、ホルダプレート５４の上面には排出しきれなかったＥＤ液が残留し、この残留したＥＤ液がインナパネル２１とアウタパネル２２の隙間から染み出す等の不具合が生ずるおそれがある。
しかし、本実施の形態における中空室遮断具５０によれば、ホルダプレート５４に液抜孔５７が設けられ、その液抜孔５７には略円筒状の閉塞具６０が取り付けられる。そして、ホルダプレート５４上に残留したＥＤ液は、この閉塞具６０の内部を通過して下方に速やかに排出される。これにより、電着塗装後におけるホルダプレート５４上のＥＤ液の残留が効果的に防止されている。
【００４０】
中空構造物２０に電着塗装が施されると、その電着塗装後の中空構造物２０は焼付乾燥工程に運搬される。そして、焼付乾燥工程の際の外部加熱によって、発泡性基材５３が発泡膨張して発泡体５８となり、閉塞具６０が発泡膨張して発泡体６３となる。
図８（Ｂ）に示すように、発泡性基材５３が発泡膨張して発泡体５８になると、発泡体５８は中空構造物２０の内壁に向けて密着状に広がるので、中空室２３をほぼ隙間なく遮断することができる。
また、図８（Ｂ）に示すように、閉塞具６０が発泡膨張して発泡体６３になると、閉塞具６０が取り付けられていた液抜孔５７を発泡体６３によってほぼ完全に塞ぐことができる。これにより、ホルダプレート５４に液抜孔５７を設けた場合であっても、中空室２３をほぼ隙間なく遮断できる効果が維持される。
【００４１】
加えて、第４の実施の形態によれば、液抜孔５７を塞ぐための閉塞具６０を、発泡性基材５３とは別個に形成することができる。これにより、液抜孔５７の大きさを共通にしておけば、発泡性基材５３やホルダプレート５４の形状等が種々異なる場合であっても、閉塞具６０の形状を共通化することができるので、中空室遮断具の製造コストを削減できる効果が期待できる。
【００４２】
〔第５の実施の形態〕
以下、図９〜図１１に基づいて、本発明の第５の実施の形態における中空構造物の中空室遮断具２００について説明する。第５の実施の形態は、発泡体の一部が液抜孔２０７ａ，２０７ｂに向かうようにその発泡方向を規制する発泡方向規制壁２０１ａ，２０１ｂがホルダプレート２０４に設けられた第１の実施の形態の応用例である。したがって、以下では、第１の実施の形態における中空室遮断具１と同様な部分については同一の符号を付して説明を省略する場合がある。
【００４３】
図９及び図１０に示すように、中空室遮断具２００は、外部加熱により発泡膨張し発泡体２０５となる発泡性材料からなる発泡性基材２０３と、その発泡性基材２０３を中空構造物２０の中空室２３内に取り付けるためのホルダ体２０２とを備えている。ホルダ体２０２は、発泡性基材２０３をその片面側において保持し、発泡性基材２０３が発泡するときにはその発泡体の発泡方向を規制するホルダプレート２０４と、そのホルダプレート２０４を中空構造物２０の取付孔（図示しない）に取り付けるための係合クリップ５とを備えて構成されている。
【００４４】
図９に示すように、ホルダプレート２０４は、耐熱性合成樹脂（熱可塑性合成樹脂）の射出成形により略四角形に形成された板状部材である。ホルダプレート２０４の表裏両側のうち一方の側の面には、その周縁部近傍に沿って略環状をなす環状保持壁２０６が突設されている。この環状保持壁２０６の外周に沿って発泡性基材２０３が嵌め込まれると、図１０に示すように、発泡性基材２０３がホルダプレート２０４の一側面側に保持された中空室遮断具２００が構成される。
【００４５】
中空構造物２０の電着塗装時において、電着塗装後の中空構造物２０をＥＤ液の液槽内から引き上げる際には、図１１（Ａ）に示すように、中空室２３内に満たされていたＥＤ液の排出の流れが、ホルダプレート２０４によって妨害される。すると、ホルダプレート２０４の上面には排出しきれなかったＥＤ液が残留し、この残留したＥＤ液がインナパネル２１とアウタパネル２２の隙間から染み出す等の不具合が生ずるおそれがある。しかし、本実施の形態における中空室遮断具２００によれば、ホルダプレート２０４に液抜孔２０７ａ，２０７ｂが設けられるので、ホルダプレート２０４上に残留したＥＤ液は、この液抜孔２０７ａ，２０７ｂを通過して下方に速やかに排出される。これにより、電着塗装後におけるホルダプレート２０４上のＥＤ液の残留が効果的に防止されている。
【００４６】
中空構造物２０に電着塗装が施されると、その電着塗装後の中空構造物２０は焼付乾燥工程に運搬される。そして、焼付乾燥工程の際の外部加熱によって、発泡性基材２０３が発泡膨張して発泡体２０５となる（図１１（Ｂ））。発泡性基材２０３が発泡膨張して発泡体２０５になると、その発泡体２０５は中空構造物２０の内壁に向けて密着状に広がるとともに、液抜孔２０７ａ，２０７ｂと一体の孔として環状保持壁２０６に対して貫設された通過孔２０８ａ，２０８ｂを通過してその環状保持壁２０６よりも内側に向けて広がることになる。これにより、中空構造物２０の内壁とホルダプレート２０４との隙間だけでなく、環状保持壁２０６よりも内側に位置する液抜孔２０７ａ，２０７ｂをも塞ぐことができるので、中空構造物２０の中空室２３内が発泡体２０５によって隙間なく遮断される。このとき、通過孔２０８ａ，２０８ｂを通過する発泡体２０５の発泡方向は発泡方向規制壁２０１ａ，２０１ｂによって液抜孔２０７ａ，２０７ｂに向かうように規制されるので、ホルダプレート２０４に貫設された液抜孔２０７ａ，２０７ｂが発泡体２０５によって効率的に塞がれる。
【００４７】
〔第６の実施の形態〕
以下、図１２〜図１４に基づいて、本発明の第６の実施の形態における中空構造物の中空室遮断具２１０について説明する。第６の実施の形態は、発泡体の一部が液抜孔２１７ａ，２１７ｂに向かうようにその発泡方向を規制する発泡方向規制壁２１１ａ，２１１ｂがホルダプレート２１４に設けられた第１の実施の形態の応用例である。したがって、以下では、第１の実施の形態における中空室遮断具１と同様な部分については同一の符号を付して説明を省略する場合がある。
【００４８】
図１２及び図１３に示すように、中空室遮断具２１０は、外部加熱により発泡膨張し発泡体２１５となる発泡性材料からなる発泡性基材２１３と、その発泡性基材２１３を中空構造物２０の中空室２３内に取り付けるためのホルダ体２１２とを備えている。ホルダ体２１２は、発泡性基材２１３をその片面側において保持し、発泡性基材２１３が発泡するときにはその発泡体の発泡方向を規制するホルダプレート２１４と、そのホルダプレート２１４を中空構造物２０の取付孔（図示しない）に取り付けるための係合クリップ５とを備えて構成されている。
【００４９】
図１２に示すように、ホルダプレート２１４は、耐熱性合成樹脂（熱可塑性合成樹脂）の射出成形により略四角形に形成された板状部材である。ホルダプレート２１４の表裏両側のうち一方の側の面には、その周縁部近傍に沿って略環状をなす環状保持壁２１６が突設されている。この環状保持壁２１６の外周に沿って発泡性基材２１３が嵌め込まれると、図１３に示すように、発泡性基材２１３がホルダプレート２１４の一側面側に保持された中空室遮断具２１０が構成される。
また、図１２及び図１３に示すように、ホルダプレート２１４に突設された環状保持壁２１６の上縁部からは外側に向けて延出するように発泡方向規制壁２１１ａ，２１１ｂが設けられている。
【００５０】
中空構造物２０の電着塗装時において、電着塗装後の中空構造物２０をＥＤ液の液槽内から引き上げる際には、図１４（Ａ）に示すように、中空室２３内に満たされていたＥＤ液の排出の流れが、ホルダプレート２１４によって妨害される。すると、ホルダプレート２１４の上面には排出しきれなかったＥＤ液が残留し、この残留したＥＤ液がインナパネル２１とアウタパネル２２の隙間から染み出す等の不具合が生ずるおそれがある。しかし、本実施の形態における中空室遮断具２１０によれば、ホルダプレート２１４に液抜孔２１７ａ，２１７ｂが設けられるので、ホルダプレート２１４上に残留したＥＤ液は、この液抜孔２１７ａ，２１７ｂを通過して下方に速やかに排出される。これにより、電着塗装後におけるホルダプレート２１４上のＥＤ液の残留が効果的に防止されている。
【００５１】
中空構造物２０に電着塗装が施されると、その電着塗装後の中空構造物２０は焼付乾燥工程に運搬される。そして、焼付乾燥工程の際の外部加熱によって、発泡性基材２１３が発泡膨張して発泡体２１５となる（図１４（Ｂ））。発泡性基材２１３が発泡膨張して発泡体２１５になると、その発泡体２１５は中空構造物２０の内壁に向けて密着状に広がるとともに、液抜孔２１７ａ，２１７ｂと一体の孔として環状保持壁２１６に対して貫設された通過孔２１８ａ，２１８ｂを通過してその環状保持壁２１６よりも内側に向けて広がることになる。これにより、中空構造物２０の内壁とホルダプレート２１４との隙間だけでなく、環状保持壁２１６よりも内側に位置する液抜孔２１７ａ，２１７ｂをも塞ぐことができるので、中空構造物２０の中空室２３内が発泡体２１５によって隙間なく遮断される。このとき、通過孔２１８ａ，２１８ｂを通過する発泡体２１５は、発泡方向規制壁２１１ａ，２１１ｂによって上側から押さえ付けられることで、その発泡方向が液抜孔２１７ａ，２１７ｂに向かうように規制される。これにより、ホルダプレート２０４に貫設された液抜孔２０７ａ，２０７ｂが、より確実に発泡体２０５によって塞がれる。
【００５２】
〔第７の実施の形態〕
以下、図１５〜図１７に基づいて、本発明の第７の実施の形態における中空構造物の中空室遮断具２２０について説明する。第７の実施の形態は、ホルダプレート２２４上に残留する電着塗装液を液抜孔２２７ａ，２２７ｂへ向けて通過させることのできる液通過流路２２９ａ，２２９ｂが発泡性基材２２３の下面側に設けられた第１の実施の形態の応用例である。したがって、以下では、第１の実施の形態における中空室遮断具１と同様な部分については同一の符号を付して説明を省略する場合がある。
【００５３】
図１５及び図１６に示すように、中空室遮断具２２０は、外部加熱により発泡膨張し発泡体２２５となる発泡性材料からなる発泡性基材２２３と、その発泡性基材２２３を中空構造物２０の中空室２３内に取り付けるめのホルダ体２２２とを備えている。ホルダ体２２２は、発泡性基材２２３をその片面側において保持し、発泡性基材２２３が発泡するときにはその発泡体の発泡方向を規制するホルダプレート２２４と、そのホルダプレート２２４を中空構造物２０の取付孔（図示しない）に取り付けるための係合クリップ５とを備えて構成されている。
【００５４】
図１５に示すように、ホルダプレート２２４は、耐熱性合成樹脂（熱可塑性合成樹脂）の射出成形により略四角形に形成された板状部材である。ホルダプレート２２４の表裏両側のうち一方の側の面には、その周縁部近傍に沿って略環状をなす環状保持壁２２６が突設されており、その環状保持壁２２６の外側には２つの液抜孔２２７ａ，２２７ｂが貫設されている。環状保持壁２２６の外周に沿って発泡性基材２２３が嵌め込まれると、図１６に示すように、２つの液抜孔２２７ａ，２２７ｂが発泡性基材２２３によって覆われた状態で、ホルダプレート２２４の一側面側に発泡性基材２２３が配設された中空室遮断具２２０が構成される。
【００５５】
中空構造物２０の電着塗装時において、電着塗装後の中空構造物２０をＥＤ液の液槽内から引き上げる際には、図１７（Ａ）に示すように、中空室２３内に満たされていたＥＤ液の排出の流れが、ホルダプレート２２４によって妨害される。すると、ホルダプレート２２４の上面には排出しきれなかったＥＤ液が残留し、この残留したＥＤ液がインナパネル２１とアウタパネル２２の隙間から染み出す等の不具合が生ずるおそれがある。しかし、本実施の形態における中空室遮断具２２０によれば、ホルダプレート２２４に液抜孔２２７ａ，２２７ｂが設けられ、この液抜孔２２７ａ，２２７ｂへ向けてＥＤ液を通過させることのできる液通過流路２２９ａ，２２９ｂが発泡性基材２２３のホルダプレート２２４に接する側の面に対して横溝状に設けられる。これにより、ホルダプレート２２４上に残留したＥＤ液は、図１７（Ｂ）中における矢印Ｇに示すように、環状保持壁２２６に貫設された通過孔２２８ａ，２２８ｂ、液通過流路２２９ａ，２２９ｂ、及び液抜孔２２７ａ，２２７ｂを通過して、ホルダプレート２２４の下方に向けて速やかに排出されることになる。これにより、電着塗装後におけるホルダプレート２２４上のＥＤ液の残留が効果的に防止されている。
【００５６】
中空構造物２０に電着塗装が施されると、その電着塗装後の中空構造物２０は焼付乾燥工程に運搬される。そして、焼付乾燥工程の際の外部加熱によって、発泡性基材２２３が発泡膨張して発泡体２２５となる（図１７（Ｂ））。発泡性基材２２３が発泡膨張して発泡体２２５になると、その発泡体２２５は中空構造物２０の内壁に向けて密着状に広がるとともに、ホルダプレート２２４に設けられた２つの液抜孔２２７ａ，２２７ｂの内部にも広がることになる。これにより、中空構造物２０の内壁とホルダプレート２２４との隙間だけでなく、液抜孔２２７ａ，２２７ｂをも塞ぐことができるので、中空構造物２０の中空室２３内が発泡体２２５によって隙間なく遮断される。このとき、発泡前の発泡性基材２２３は液抜孔２２７ａ，２２７ｂの上面を覆うようにして配設されていたことにより、その発泡性基材２２３の直下に近接していた液抜孔２２７ａ，２２７ｂは、下方に向けて発泡膨張する発泡体２２５によってほぼ確実に遮断される。
【００５７】
なお、本発明は、上記の実施の形態に限定されるものではなく、その要旨を逸脱しない範囲内で適宜変更することが可能である。
例えば、上記実施の形態では、発泡性基材を保持するホルダプレートが耐熱性の合成樹脂により形成される例を示したが、ホルダプレートを金属板等により形成した場合であっても同様な作用効果を達成することができる。
【００５８】
また、上記実施の形態では、中空構造物が車両ボディのピラー、ロッカパネル、ルーフパネル等の中空パネルである場合を例示したが、これに限るものではない。中空構造物が車両ボディ以外、例えば、建築物、船舶等の建造物を構成する中空構造物であっても本発明を適用し得る。
【００５９】
【発明の効果】
以上述べたように、この発明によれば、中空構造物を電着塗装液に侵漬させる場合であっても、ホルダプレートに電着塗装液が残留するのを防止できる中空構造物の中空室遮断具を提供することができる。
【図面の簡単な説明】
【図１】第１の実施の形態における、中空室遮断具の組み立て前の構造を示す斜視図である。
【図２】第１の実施の形態における、中空室遮断具の組み立て後の状態を示す斜視図である。
【図３】中空室内に配置した中空室遮断具の断面図であり、図２における中空室遮断具のＡ−Ａ線に対応する断面図である。
【図４】第２の実施の形態における、中空構造物の中空室内に配置した中空室遮断具の断面図である。
【図５】第３の実施の形態における、中空構造物の中空室内に配置した中空室遮断具の断面図である。
【図６】第４の実施の形態における、中空室遮断具の組み立て前の構造を示す斜視図である。
【図７】第４の実施の形態における、中空室遮断具の組み立て後の状態を示す斜視図である。
【図８】中空室内に配置した中空室遮断具の断面図であり、図７における中空室遮断具のＢ−Ｂ線に対応する断面図である。
【図９】第５の実施の形態における、中空室遮断具の組み立て前の構造を示す斜視図である。
【図１０】第５の実施の形態における、中空室遮断具の組み立て後の状態を示す斜視図である。
【図１１】中空室内に配置した中空室遮断具の断面図であり、図１０における中空室遮断具のＤ−Ｄ線に対応する断面図である。
【図１２】第６の実施の形態における、中空室遮断具の組み立て前の構造を示す斜視図である。
【図１３】第６の実施の形態における、中空室遮断具の組み立て後の状態を示す斜視図である。
【図１４】中空室内に配置した中空室遮断具の断面図であり、図１３における中空室遮断具のＥ−Ｅ線に対応する断面図である。
【図１５】第７の実施の形態における、中空室遮断具の組み立て前の構造を示す斜視図である。
【図１６】第７の実施の形態における、中空室遮断具の組み立て後の状態を示す斜視図である。
【図１７】中空室内に配置した中空室遮断具の断面図であり、図１６における中空室遮断具のＦ−Ｆ線に対応する断面図である。
【図１８】従来の中空室遮断具の斜視図である。
【図１９】中空構造物の中空室内に配置した従来の中空室遮断具の断面図である。
【符号の説明】
１、３０、４０、５０、２００、２１０、２２０…　中空室遮断具
２、４２、５２、２０２、２１２、２２２…　ホルダ体
３、３３、４３、５３、２０３、２１３、２２３…　発泡性基材
４、３４、４４ａ、４４ｂ、５４、２０４、２１４、２２４…　ホルダプレート
７ａ、７ｂ、３７ａ、３７ｂ、５７、２０７ａ、２０７ｂ、２１７ａ、２１７ｂ、２２７ａ、２２７ｂ…　液抜孔
１１ａ、１１ｂ、３８ａ、３８ｂ、２０８ａ、２０８ｂ、２１８ａ、２１８ｂ、２２８ａ、２２８ｂ…　通過孔
２０…　中空構造物
２１…　インナパネル
２２…　アウタパネル
２３…　中空室
２５、３５、４５、５８、６３、２０５、２１５、２２５…　　　　　発泡体
６０…　閉塞具
２０１ａ、２０１ｂ、２１１ａ、２１１ｂ…　発泡方向規制壁
２２９ａ，２２９ｂ…　液通過流路
【図１】
2004004445.tif 000003
【図２】
2004004445.tif 000004
【図３】
2004004445.tif 000005
【図４】
2004004445.tif 000006
【図５】
2004004445.tif 000007
【図６】
2004004445.tif 000008
【図７】
2004004445.tif 000009
【図８】
2004004445.tif 000010
【図９】
2004004445.tif 000011
【図１０】
2004004445.tif 000012
【図１１】
2004004445.tif 000013
【図１２】
2004004445.tif 000014
【図１３】
2004004445.tif 000015
【図１４】
2004004445.tif 000016
【図１５】
2004004445.tif 000017
【図１６】
2004004445.tif 000018
【図１７】
2004004445.tif 000019
【図１８】
2004004445.tif 000020
【図１９】
2004004445.tif 000021